(57)【要約】【課題】必要最低限の二次電池容量で、使用者が満足できる酸素富化運転時間を確保可能とするとともに、二次電池の重量増加を抑えた酸素富化機を提供する。【解決手段】商用電力により直流電源を発生させる電源回路３２と、電源回路３２で充電可能な二次電池２３と、酸素富化空気を生成する酸素富化手段２８と、吸引手段２５で吸引された空気を外部に吐出する吐出口７と、空気取り入れ口２７と、空気を酸素富化手段２８を通して吸引して酸素富化空気としそれを吐出口７に送出する第１の運転モードと、酸素富化手段２８を通さず空気取り入れ口２７から空気を吸引してそれを吐出口７に送出する第２の運転モードと、電力源が、商用電力か二次電池２３かを判断する電力源判断手段３１とを備え、電力源の種類に応じて、第１の運転モードまたは／および第２の運転モードでの運転時間をそれぞれ異ならせた。【選択図】図２
2006326025.tif 000002
【特許請求の範囲】
【請求項１】
商用電力により直流電源を発生させる電源回路と、前記電源回路に接続された充電回路で充電可能な二次電池と、酸素富化空気を生成する酸素富化手段と、空気を吸引する吸引手段と、前記吸引手段で吸引された空気を外部に吐出する吐出口と、空気取り入れ用の空気取り入れ口と、空気を前記酸素富化手段を通して前記吸引手段で吸引して酸素富化空気としそれを前記吐出口に送出する第１の運転モードと、前記酸素富化手段を通さず前記空気取り入れ口から空気を前記吸引手段で吸引してそれを前記吐出口に送出する第２の運転モードと、前記吸引手段の電力源が、前記商用電力か前記二次電池かを判断する電力源判断手段とを備え、前記電力源に応じて、前記第１の運転モードまたは／および前記第２の運転モードでの運転時間をそれぞれ異ならせた酸素富化機。
【請求項２】
電力源判断手段により電力源が二次電池と判断された時、第２の運転モードでの運転を行わないようにした請求項１に記載の酸素富化機。
【請求項３】
電力源が二次電池の時の第２の運転モードでの運転時間を、商用電源の時の第２の運転モードでの運転時間より短く設定した請求項１に記載の酸素富化機。
【請求項４】
二次電池の残容量を検知する残量検知手段を備え、前記二次電池の残量に応じて第２の運転モードでの運転時間を変えるようにした請求項１又は３に記載の酸素富化機。
【請求項５】
商用電力に接続された電源回路により二次電池の充電が行われる前に、前記電源回路からの電力で第２の運転モードで運転を行う請求項１〜４のいずれか１項に記載の酸素富化機。
【請求項６】
商用電力に接続された電源回路により二次電池の充電が行われている間に、前記電源回路からの電力で第２の運転モードで運転を行う請求項１〜４のいずれか１項に記載の酸素富化機。
【請求項７】
電力源判断手段により電力源が商用電力であると判断された場合、第２の運転モードでの運転を開始する請求項１〜６のいずれか１項に記載の酸素富化機。
【請求項８】
二次電池を電力源とする第２の運転モードでの運転が、所定の運転時間より短時間で終了した場合、前記第２の運転モードが未完了のまま終了したことを記憶する記憶手段を設け、次回商用電力で起動されたときに、前記記憶手段に前記未完了情報があれば、第２モードでの運転時間を前記未完了情報がない場合よりも長くなるようにした請求項１〜７のいずれか１項に記載の酸素富化機。
【請求項９】
第２の運転モードでの運転時間を任意に設定できる入力手段を備えた請求項１、３〜８のいずれか１項に記載の酸素富化機。
【請求項１０】
第１の運転モードでの運転時間を記憶する記憶手段と、前記記憶手段に記憶された前記第１の運転モードの運転時間に応じて第２の運転モードの運転時間を決定する制御手段を備えた請求項１に記載の酸素富化機。
【発明の詳細な説明】
【技術分野】
【０００１】
本発明は、使用者に酸素濃度の高い空気、いわゆる酸素富化空気を提供する酸素富化機に関するもので、特に酸素富化機の運転制御に関するものである。
【背景技術】
【０００２】
従来の酸素富化機は、酸素富化膜からなる酸素富化膜ユニットと、吸引用ポンプと、吐出口を備え、その酸素富化膜ユニットを通して空気を吸引用ポンプで吸引して、空気中の酸素を濃縮して酸素富化空気を生成し、得られた酸素富化空気を、吸引ポンプの排気口に接続されたチューブを通して吐出口に送り、使用者が吐出口より吐出される酸素富化空気を吸引するようになっていた。ところで、酸素富化膜は、空気中の酸素と共に水分をも凝縮する特性があり、湿度の高い雰囲気中で酸素富化機を運転すると、前記チューブや吐出口内空気流路には多くの結露水が発生する。その対策として、従来の酸素富化機では、酸素富化空気発生運転終了後に、酸素富化膜を経由しない通常空気を吸引ポンプで吸引して、その空気をチューブを介して吐出口から吐出させて、空気流路内の結露水を外部に排出させて、チューブ内を乾燥させる所謂送風運転等を行うようにしていた（例えば、特許文献１参照）。
【０００３】
また、近年では直流電力で運転可能な小型の吸引ポンプや高性能二次電池の開発が進み、前記二次電池だけを電力源として、酸素富化空気を生成する酸素富化機も開発されるまでに至っている。
【特許文献１】特開２００４−２６７７６１号公報
【発明の開示】
【発明が解決しようとする課題】
【０００４】
しかしながら、従来の酸素富化機において、特に二次電池の有限電力での上記送風運転は、使用者が酸素富化空気を吸引するという本来の目的と異なる用途で二次電池の有限電力が消費されてしまい、送風運転により、酸素富化空気を発生させるための運転時間が短縮されてしまうという課題があった。また、吸引ポンプの消費する電力が比較的大きいため、商用電源で運転している時のように酸素富化運転と送風運転を行おうとすると、搭載する二次電池の重量が増して、持ち運びが非常に不便になるという課題があった。
【０００５】
本発明は、前記従来の課題を解決するもので、必要最低限の二次電池容量で、使用者が満足できる酸素富化運転時間を確保できると共に、二次電池の重量増加を抑えることで、持ち運びの際にも不便にならない本体重量を実現した酸素富化機を提供することを目的とする。
【課題を解決するための手段】
【０００６】
前記従来の課題を解決するために、本発明の酸素富化機は、商用電力により直流電源を発生させる電源回路と、前記電源回路に接続された充電回路で充電可能な二次電池と、酸素富化空気を生成する酸素富化手段と、空気を吸引する吸引手段と、前記吸引手段で吸引された空気を外部に吐出する吐出口と、空気取り入れ用の空気取り入れ口と、空気を前記酸素富化手段を通して前記吸引手段で吸引して酸素富化空気としそれを前記吐出口に送出する第１の運転モードと、前記酸素富化手段を通さず前記空気取り入れ口から空気を前記吸引手段で吸引してそれを前記吐出口に送出する第２の運転モードと、前記吸引手段の電力源が、前記商用電力か前記二次電池かを判断する電力源判断手段とを備え、前記電力源に応じて、前記第１の運転モードまたは／および前記第２の運転モードでの運転時間をそれぞれ異ならせたもので、例えば、二次電池を電力源とした場合の第２の運転モードでの運転時間を、商用電力を電源とした場合のそれよりも短くすれば二次電池を有効に活用できるなど、電力源と使用環境に応じた設定が可能となり、使用性の向上を図ることができる。また、必要最低限の二次電池容量で、使用者が満足できる酸素富化運転時間を確保しつつ、持ち運びの際にも不便にならない本体重量を実現できる。
【発明の効果】
【０００７】
本発明の酸素富化機は、電力源として二次電池を用いた場合においても、第１の運転モードの時間を十分確保し、かつ持ち運びの際にも不便にならない本体重量を実現し、使用性の向上が図れるものである。
【発明を実施するための最良の形態】
【０００８】
第１の発明は、商用電力により直流電源を発生させる電源回路と、前記電源回路に接続された充電回路で充電可能な二次電池と、酸素富化空気を生成する酸素富化手段と、空気を吸引する吸引手段と、前記吸引手段で吸引された空気を外部に吐出する吐出口と、空気取り入れ用の空気取り入れ口と、空気を前記酸素富化手段を通して前記吸引手段で吸引して酸素富化空気としそれを前記吐出口に送出する第１の運転モードと、前記酸素富化手段を通さず前記空気取り入れ口から空気を前記吸引手段で吸引してそれを前記吐出口に送出する第２の運転モードと、前記吸引手段の電力源が、前記商用電力か前記二次電池かを判断する電力源判断手段とを備え、前記電力源に応じて、前記第１の運転モードまたは／および前記第２の運転モードでの運転時間をそれぞれ異ならせたもので、例えば、二次電池を電力源とした場合の第２の運転モードでの運転時間を、商用電力を電源とした場合のそれよりも短くすれば二次電池を有効に活用できるなど、電力源と使用環境に応じた設定が可能となり、使用性の向上を図ることができる。また、必要最低限の二次電池容量で、使用者が満足できる酸素富化運転時間を確保しつつ、持ち運びの際にも不便にならない本体重量を実現できる。
【０００９】
第２の発明は、特に、第１の発明の電力源判断手段により電力源が二次電池と判断された時、第２の運転モードでの運転を行わないようにしたもので、二次電池の電池残量の全てを第１の運転モードでの運転に消費できるため、第２の運転モードを行うときと比較し、より長く第１の運転モードで運転することができる。
【００１０】
第３の発明は、特に、第１の発明の電力源が二次電池の時の第２の運転モードでの運転時間を、商用電源の時の第２の運転モードでの運転時間より短く設定したもので、限られた電力源でより長く第１の運転モードで運転することができる。
【００１１】
第４の発明は、特に、第１又は第３の発明の二次電池の残量を検知する残量検知手段を備え、前記二次電池の残量に応じて第２の運転モードでの運転時間を変えるようにしたもので、可能な限り第１の運転モードで運転できるので、通常の第２の運転モードを行うときと比べ、より長く第１の運転モードで運転することができる。
【００１２】
第５の発明は、特に、第１〜４のいずれか１つの発明の商用電力に接続された電源回路により二次電池の充電が行われる前に、前記電源回路からの電力で第２の運転モードで運転を行うもので、二次電池という限られた電力源を第１の運転モードのみに使用することができ、二次電池で第２の運転モードを行った場合と比較して、より長く第１の運転モードを行いつつ、第２の運転モードを確保することができる。
【００１３】
第６の発明は、特に、第１〜４のいずれか１つの発明の商用電力に接続された電源回路により二次電池の充電が行われている間に、前記電源回路からの電力で第２の運転モードで運転を行うもので、二次電池という限られた電力源を第１の運転モードのみに使用することができ、二次電池で第２の運転モードを行った場合と比較して、より長く第１の運転モードを行いつつ、第２の運転モードを確保することができ、また充電中に第２の運転モードを行うことで、充電が完了し次回使用可能になるまでの時間を短縮することができる。
【００１４】
第７の発明は、特に、第１〜６のいずれか１つの発明の電力源判断手段により電力源が商用電力であると判断された場合、第２の運転モードで運転を開始するもので、商用電力のときに第２の運転モードを十分に行うことになるので、二次電池という限られた電力源を第１の運転モードに使用することができ、二次電池で第２の運転モードで運転を行った場合と比較して、より長く第１の運転モードで運転することができる。
【００１５】
第８の発明は、特に、第１〜７のいずれか１つの発明の二次電池を電力源とする第２の運転モードでの運転が、所定の運転時間より短時間で終了した場合、前記第２の運転モードが未完了のまま終了したことを記憶する記憶手段を設け、次回商用電力で起動されたときに、前記記憶手段に前記未完了情報があれば、第２モードでの運転時間を前記未完了情報がない場合よりも長くなるようにしたもので、二次電池という限られた電力源が消耗された場合において、商用電源を使用するときに第２の運転モードの運転時間を補完することができる。
【００１６】
第９の発明は、特に、第１、第３〜８のいずれか１つの発明の第２の運転モードでの運転時間を任意に設定できる入力手段を備えたもので、気温や湿度といった環境条件に合わせて第２の運転モードでの運転時間が調整できるので、使用性の向上を図ることができる。
【００１７】
第１０の発明は、特に、第１の発明の第１の運転モードでの運転時間を記憶する記憶手段と、前記記憶手段に記憶された前記第１の運転モードの運転時間に応じて第２の運転モードの運転時間を決定する制御手段を備えたもので、第１の運転モードによる運転時間と第２の運転モードでの運転時間との比率を一定に保つことが可能で、効率よく第２の運転モードでの運転を行うことができるので、特に第１の運転モードが短い時に第２の運転時間が一定であるときと比較して二次電池の早期消耗を防ぐことができる。
【００１８】
以下、本発明の実施の形態について、図面を参照しながら説明する。なお、この実施の形態により本発明が限定されるものではない。
【００１９】
（実施の形態１）
図１は、本発明の第１の実施の形態における酸素富化機の全体斜視図、図２は、同酸素富化機の構成を示すブロック図である。
【００２０】
図１、図２において、酸素富化機の装置本体１は、その内部に酸素の濃度を高める、いわゆる酸素富化空気を生成する酸素富化手段２８を設けている。この酸素富化手段２８で生成された酸素富化空気は、チューブ３と、タンク５と、チューブ４と、ヘッドセット６とを経て、吐出口７から吐出させるようになっている。ヘッドセット６は、使用者が酸素富化機を使用して酸素富化空気を吸引するときに頭部近傍に装着するものである。ところで、酸素富化手段２８は、酸素と同様、水蒸気の透過度も窒素より大きく、湿度が高い雰囲気などで運転された時には、酸素富化手段２８から排出される酸素富化空気内には多量の水蒸気が含まれることになるため、チューブ３、４の途中に液だまりであるタンク５が配置してあり、水蒸気が吐出口７から結露水として吐出されないようにしてある。
【００２１】
前記酸素富化手段２８は、有機高分子の平膜（図示せず）より構成された酸素富化膜ユニット（図示せず）からなり、平膜を通過する分子の速度の差を利用するもので、空気中の窒素に比べ酸素をよく通すため、比較的高い酸素濃度のいわゆる酸素富化空気が得られる。通常の空気において酸素が占める割合は約２１％（窒素約７９％）であるが、本実施の形態における酸素富化手段２８を通過後の酸素富化空気において、酸素が占める割合が約３０％（窒素約７０％）となるものである。
【００２２】
２５は、空気を酸素富化手段２８を通して吸引して酸素富化空気を生成し、その酸素富化空気を吐出口７から吐出させるための吸引手段であり、制御手段２４で駆動制御されるものである。吸引手段２５は、酸素富化手段２８の酸素富化膜ユニットの通過圧損に対抗して酸素富化空気の流量を稼ぐために、運転時の圧力が高いベローズポンプ（図示せず）を用いている。
【００２３】
２６は、制御手段２４からの駆動信号で切換えられると共に、吸引手段２５で吸引する空気が、酸素富化手段２８を通した酸素富化空気と、これとは無関係に空気取入れ口２７からの通常空気とを切換える空気流路切換手段である。すなわち、空気流路切換手段２６は、酸素富化手段２８で得られた酸素富化空気を、吸引手段２５で吸引して吐出口７より装置本体１外に吐出させる第１の運転モードと、この第１の運転モードの後に、酸素富化空気以外の通常空気を直接空気取入れ口２７から吸引手段２５で吸引して、吐出口７より装置本体１外に吐出させる第２の運転モードとを切換えるものである。
【００２４】
２３は、電力源となる二次電池で、装置本体１で消費される電力を供給するとともに、電源コード１０で供給される商用電力を直流電力に変換するＡＣアダプタ８のＤＣプラグ９が装置本体１に設けたジャック１１に接続されると、所定の直流電源を発生する電源回路３２に通電されて、そこで発生した直流電源を元に充電回路３３によって充電されるものである。また、運転時に商用電力か二次電池２３のどちらの電力源を用いているかを判断する電力源判断手段３１が設けられ、この情報は制御手段２４に伝えられる。
【００２５】
２２は、運転開始及び停止するための運転操作手段で、使用者が運転操作手段２２を操作すると、これを制御手段２４で検知して空気流路切換手段２６や吸引手段２５を駆動して酸素富化運転または送風運転、すなわち、第１の運転モード、第２の運転モードを開始するものである。更に、制御手段２４は、運転状態を表示手段２０に表示して使用者に運転状態を知らせることができるようになっている。運転停止は同様に、運転操作手段２２の操作により行われる。
【００２６】
電源が切られても記憶内容を保持し不揮発性メモリからなる記憶手段２１は、第１の運転モードでの運転時間を記憶することが可能で、この記憶をもとに制御手段２４によって第２の運転モードでの運転時間を設定するようになっている。また、送風運転の時間を表示手段２０によって報知することも容易に可能である。
【００２７】
以上のように構成された酸素富化機の動作及び作用を説明する。
【００２８】
まず、制御手段２４がＡＣアダプタ８からの商用電力を電力源として動作すると判断した場合を説明する。使用者によって運転操作手段２２が操作され、制御手段２４が酸素富化運転の開始操作がなされたことを検知すると、空気流路切換手段２６を、酸素富化手段２８を通して空気を吸引手段２５で吸引するように切換え、吸引手段２５を駆動する酸素富化運転（第１の運転モード）を開始する。
【００２９】
酸素富化手段２８で生成された酸素富化空気は、空気流路切換手段２６を経て吸引手段２５によって吸引され、チューブ３、タンク５、チューブ４、ヘッドセット６を経て吐出口７から吐出される。このように、ＡＣアダプタ８が装置本体１に接続されており、商用電力を電力源とする場合、制御手段２４は、第１の所定時間だけ酸素富化運転を行う。ところで、酸素富化運転中は前述したように酸素富化手段２８から発生する水蒸気により、空気流路切換手段２６と吸引手段２５、チューブ３、４、タンク５、ヘッドセット６等の酸素富化空気の流路内面に結露が発生する。
【００３０】
そして、第１の所定時間経過後、制御手段２４は、空気流路切換手段２６を、空気取入れ口２７から通常空気を直接吸引手段２５で吸引するように切換え、吸引手段２５を駆動する送風運転（第２の運転モード）を開始する。送風運転では空気取入れ口２７からの通常空気は空気流路切換手段２６を経て吸引手段２５によって吸引され、チューブ３、タンク５、チューブ４、ヘッドセット６を経て吐出口７から吐出される。この時に、酸素富化運転時に発生し空気流路切換手段２６とチューブ３の内面に付着した結露水をタンク５に排出するとともに乾燥し、チューブ４、ヘッドセット６、吐出口７の空気流路内の結露水を乾燥する。
【００３１】
次に、二次電池２３を電力源とした場合を説明する。電力源判断手段３１により電力源が二次電池であると判断したとき、第１の運転モードで運転を行った後、第２の運転モードを行わずに運転を終了する制御を行う。二次電池２３の容量は限られているので、次回第１の運転モードを行うには、充電を行う必要がある。そのために、ＡＣアダプタ８が装置本体１に接続されたとき、制御手段２４は、電力源判断手段３１より商用電力が接続されたことを認識し、最初に第２の運転モードでの運転を行う制御をする。これは、充電を行う前、或いは充電中のいずれでもよい。
【００３２】
また、図２に示すように、二次電池２３の残量を検知する残量検知手段３０を設け、その残量検知手段３０で検知された二次電池２３の残量に応じて、制御手段２４は、第２の運転モードを行うか否かを判断するようにしても良い。このとき、設定された第１の運転モードと第２の運転モードを完了することが出来る容量を閾値として記憶手段２１に記憶しておき、この閾値を基に判断を行う。例えば残量検知手段３０により、二次電池２３の容量が閾値以上と判断したときは、停止前に第２の運転モードでの運転を行い、閾値未満であれば第２の運転モードでの運転は行わずに停止する。この閾値を複数準備し、階級分けすることで、第２の運転モードでの運転時間を階級分けすることも容易に行うことができる。
【００３３】
又、電力源判断手段３１により電力源が二次電池２３であると判断した時、第１の運転モードで運転を行った後の第２の運転モードの運転時間を、電力源が商用電源の時の第２の運転モードの運転時間よりも短い運転時間で運転終了するように制御しても良い。
【００３４】
次に、制御手段２４がＡＣアダプタ８からの商用電力を電力源として動作すると判断した場合、使用者によって運転操作手段２２が操作され制御手段２４で酸素富化運転の開始操作がなされたことを検知すると、第２の運転モードから運転開始を行い、続いて第１の運転モードを行い、再び第２の運転モードを行ってから運転停止するようにする。
【００３５】
（実施の形態２）
次に、実施の形態２について説明する。この実施の形態２の構成は図１に示す実施の形態１と同様であり、その制御動作について以下説明する。
【００３６】
まず、電力源判断手段３１により電力源が二次電池２３であると判断されたとき、二次電池２３の残量を検知する残量検知手段３０からの情報を基に、制御手段２４は第２の運転モードでの運転を行うか否かを判断する。このとき、設定された第１の運転モードと第２の運転モードを完了することが出来る容量を閾値として記憶手段２１に予め記憶しておき、この閾値を基に判断を行う。例えば残量検知手段３０により、二次電池２３の容量が閾値以上と判断したときは、停止前に第２の運転モードでの運転を行い、閾値未満であれば第２の運転モードでの運転は行わずに装置本体１の運転を停止する。このとき制御手段２４は、第２の運転モードによる運転が、商用電源を電力源としたときよりも短い時間で終わったという未完了情報を記憶手段２１に記憶させる。
【００３７】
次に、ＡＣアダプタ８が装置本体１に接続され、制御手段２４が、ＡＣアダプタ８からの商用電力を電力源として動作すると判断した場合、使用者によって運転操作手段２２が操作され制御手段２４で酸素富化運転の開始操作がなされたことを検知すると、第１の所定時間だけ第２の運転モードでの運転を行う。次に第２の運転モードでの運転を行う際に、記憶手段２１に未完了情報が記憶されている時は、制御手段２４で、第２の運転モードでの運転時間を、未完了情報が記憶されていない時に比べ、例えば、２倍と長く設定するようにする。
【００３８】
また、二次電池２３を電力源として第２の運転モードで運転を行った時間を記憶手段２１に記憶しておき、これを基に商用電源時の第２の運転モードの運転時間を設定するようにしても良い。例えば、通常の商用電源での第２の運転モードでの運転時間を１分としたとき、二次電池による運転時の第２の運転モードの運転時間が３０秒だったとき、商用電源での第２の運転モードでの運転時間を１分３０秒とする。
【００３９】
なお、制御手段２４が、商用電源での第２の運転モードの運転時間を設定するタイミングは、商用電源による起動時でも、第２の運転モードを行う時でも構わない。
【００４０】
（実施の形態３）
次に、実施の形態３について説明する。この実施の形態３の構成も図１に示す実施の形態１と同様であり、その制御動作について以下説明する。
【００４１】
酸素富化運転（第１の運転モード）の運転時間を記憶手段２１に記憶しておき、この運転時間を、制御手段２４に取り込んで送風運転（第２の運転モード）の運転時間を設定するようにしたものである。例えば、二次電池２３を電力源として酸素富化運転を３０分行う場合について説明する。まず、酸素富化運転を３０分行ったことを記憶手段２１に記憶しておく。次に、送風運転を行う際に、記憶手段２１に記憶されている酸素富化運転時間を制御手段２４に取り込み、この情報をもとに、送風運転時間を決定する。例えば、酸素富化運転時間が１０分以内なら送風運転時間を２０秒とし、酸素富化運転時間が１０分以上２０分以内なら送風運転時間を４０秒とし、酸素富化運転時間がそれより長い時は、送風運転時間を１分と定めておけば、酸素富化運転が３０分の時でも、送風運転が１分と設定される。同様に、酸素富化運転が２０分の時は送風運転が４０秒と設定される。このように、酸素富化運転時間をもとに送風運転時間を設定することによって、二次電池２３を効率よく利用することができる。
【００４２】
（実施の形態４）
図３は、本発明の第４の実施の形態における酸素富化機の構成を示すブロック図である。本実施の形態は、図３に示すように、上記第１の実施の形態における酸素富化機に、第２の運転モードでの運転時間を入力する入力手段２９を付加し、使用環境に応じて、使用者が、その入力手段２９により送風運転の時間を任意に設定できるようにしたもので、他の構成は、上記第１の実施の形態における酸素富化機と同一であるので、同一部分に付いての説明を省略する。
【００４３】
例えば、二次電池２３を動力源とした場合、冬の乾燥した時期であれば結露はほとんど発生しないので、送風運転をなくしたり、商用電源を用いた時の半分の時間に設定したりすることができる。これにより、二次電池２３の消費を抑えることができる。
【００４４】
一方電力源が商用電力である場合も、入力手段２９により、使用者がその使用環境や使用状況に応じて、送風運転の運転時間を任意に設定しても良い。例えば、第１の運転モードを連続使用した場合、入力手段２９で、第２の運転モードの運転時間を長く設定することで、十分な乾燥処理を行うことができる。
【産業上の利用可能性】
【００４５】
以上のように本発明による酸素富化機は、必要最低限の二次電池容量で、使用者が満足できる酸素富化運転時間を確保しつつ、持ち運びの際にも不便にならない本体重量を実現したもので、例えば、携帯用途の酸素富化機として有用である。
【図面の簡単な説明】
【００４６】
【図１】本発明の実施の形態１〜４における酸素富化機の全体構成を示す斜視図を示すブロック図
【図２】同実施の形態１〜３における酸素富化機を示すブロック図
【図３】同実施の形態４における酸素富化機を示すブロック図
【符号の説明】
【００４７】
１    装置本体
７    吐出口
２０  表示手段
２１  記憶手段
２３  二次電池
２４  制御手段
２５  吸引手段
２７  空気取入れ口
２８  酸素富化手段
２９  入力手段
３０  残量検知手段
３１  電力源判断手段
３２  電源回路
３３  充電回路
【図１】
2006326025.tif 000003
【図２】
2006326025.tif 000004
【図３】
2006326025.tif 000005